(57)【要約】【課題】本発明はカード用コネクタに関し、イジェクト操作を特異に行った場合でもカードがカード挿入口から外に飛び出さないようにすることを課題とする。【解決手段】制動シュー部８０を、合成樹脂製のハウジング本体２２の上面に突き出して有する。制動シュー部８０は、傾斜した三角形状の上面８２を有する。イジェクト時に、スライダ４０の張り出し部４３が制動シュー部８０の上面８２にのりあがり、制動力を付与される。制動力はスライダ４０が移動するにつれて増加し、スライダ４０の最終移動位置での速度は制動力がスライダ４０の位置に関係なく一定である構成で場合に比較して遅くなり、スライダ４０の最終位置で瞬時に停止したときにカード１０に作用する慣性力は弱く、カード１０とスライダ４０との係止は維持され、カード１０のカード用コネクタからの飛び出しは起きない。【選択図】図２
2008181792.tif 000002
【特許請求の範囲】
【請求項１】
カード挿入口を有するハウジング本体にスライダがスライド可能に設けてあり、前記スライダがばね力によって前記カード挿入口から遠い位置から前記カード挿入口の方向に移動されるときに、前記ハウジング本体内に装着してあるカードが前記スライダと共に移動されてイジェクトされるカード用コネクタであって、
前記カード挿入口の方向に前記スライダが移動するにつれて制動力が増加するように前記スライダに制動力を付与するスライダ制動手段を有するカード用コネクタ。
【請求項２】
前記スライダ制動手段は、前記ハウジング本体の上面から突き出して前記ハウジング本体と一体に形成してある制動シュー部であって、前記制動シュー部の上面からみると、前記カード挿入口から遠い側が頂点であり前記カード挿入口に近い側が底辺である三角形状であり、且つ、前記ハウジング本体の上面に対して前記底辺の側が前記頂点の側より高くなる傾斜面である制動シュー部を有する請求項１に記載のカード用コネクタ。
【請求項３】
前記制動シュー部は、前記カード用コネクタの奥側が前記ハウジング本体とつながっており固定であり、前記カード挿入口側が自由端である片持ち梁形状である請求項２に記載のカード用コネクタ。
【請求項４】
前記イジェクトされるカードに制動力を付与するカード制動手段を更に有する請求項１に記載のカード用コネクタ。
【請求項５】
前記カード制動手段は、前記ハウジング本体にその上面に突き出して形成してあり、装着してあるカードの下面を押し上げる押し上げバネ部よりなる請求項４に記載のカード用コネクタ。
【請求項６】
前記押し上げバネ部は、前記装着してあるカードの下面のうち後端の近くの左右側の箇所を支持するように一対設けてある請求項５に記載のカード用コネクタ。
【請求項７】
前記押し上げバネ部は、逆Ｗ形状であって両端固定梁形状であり、前記カードの下面に当接する凸部を二つ有する請求項５又は請求項６に記載のカード用コネクタ。
【発明の詳細な説明】
【技術分野】
【０００１】
本発明はカード用コネクタに係り、特に、携帯電話機等に組み込まれて使用され、メモリカードが装着されるカード用コネクタに関する。
【背景技術】
【０００２】
ディジタルカメラ、携帯オーディオ機器、携帯電話機等は、情報記憶媒体として、半導体記憶素子が内蔵してある構成であるメモリカードが利用可能な構造となっている。最近では通常のメモリカードよりの小さいサイズであるメモリカードが提供されており、この小型のメモリカードが装着可能であるメモリカード用コネクタも提供されている。
【０００３】
この小型のメモリカードは、特に、携帯電話機の機能の拡大に対応するべく、開発されたものであり、小型のメモリカード用コネクタは、携帯電話機に組み込まれて使用されつつある。
【０００４】
携帯電話機は、利用者が持ち歩く、折り畳み操作を行う、データ読み取り装置に当てる等して種々の場面で使用される。このため、小型メモリカードの小型メモリカード用コネクタへの装着、抜き出しも、いろいろな状況でなされる。また、小型メモリカードは一辺の長さが１０ｍｍ程度と短く、人によっては取り扱いがし難い程度にサイズが小さい。このため、小型メモリカード用コネクタについては、従来のメモリカード用コネクタの場合に比べて、種々の面に配慮したきめ細かい設計が必要となる。
【０００５】
通常、小型メモリカード用コネクタは、通常、内部にばねで付勢されているスライダが設けてあり、このスライダが小型メモリカードの側面側の凹部と弾性的に係止される構成であり、小型メモリカードをイジェクトする場合には、利用者がその手の指先で小型メモリカードを一旦押し込んで離す操作を行うことによって、スライダがロックを解除されてばね力でもって移動され、メモリカードがスライダと共に移動されて、メモリカードの一部が挿入口より突き出る状態となる構成となっている。その後に、利用者がメモリカードのうち挿入口より突き出ている部分を指先で掴んで引くことによって、メモリカードはスライダとの弾性的係止を解除されて、引き抜かれる。
【０００６】
ここで、小型メモリカードはサイズが小さくて厚さが薄いものであるため、スライダと小型メモリカードとの係止の拘束力を強くしにくく、また、何回も装着、イジェクトを繰り返しているうちに磨耗が進むと、上記の係止の拘束力が低下することもあって、場合によっては、小型メモリカードに作用するイジェクトされる方向に慣性力が係止の拘束力を上回って、イジェクト時に小型メモリカードのスライダに対する係止が解除されて、小型メモリカードが小型メモリカード用コネクタより外に飛び出して、落下してしまうことが起きる虞れがある。
【０００７】
そこで、移動するスライダに摩擦でもって制動力を作用させて、スライダの移動速度を遅くして、イジェクト時に小型メモリカードがスライダから外れないようにして、小型メモリカードが小型メモリカード用コネクタから飛び出さないようにした構成の小型メモリカード用コネクタが提案されている。
【特許文献１】特開２００５−２６８０８９号公報
【特許文献２】特開２００６−１４００６８号公報
【発明の開示】
【発明が解決しようとする課題】
【０００８】
しかし、特開２００５−２６８０８９号公報に記載の小型メモリカード用コネクタは、スライダに対する制動力の強さが、最初は強く、後半は弱くした構成であるため、スライダのスライドする最終段階における移動速度を十分に遅くすることが出来ず、メモリカードの飛び出し防止の対策としては十分ではない。
【０００９】
特開２００６−１４００６８号公報に記載の小型メモリカード用コネクタは、制動のためスライダにローラが組み込んであり、ローラが転がる傾斜面がコネクタ本体の側壁部の内側面に形成してある構成であるため、制動がかかり難く、スライダのスライドする最終段階における移動速度を十分に遅くしにくく、メモリカードの飛び出し防止の対策としては十分ではない。スライダとは別の部品であるローラが組み込んであるため、組み立てがし難くいものであった。
【００１０】
そこで、本発明は、上記課題を解決したカード用コネクタを提供することを目的とする。
【課題を解決するための手段】
【００１１】
本発明は、カード挿入口を有するハウジング本体にスライダがスライド可能に設けてあり、前記スライダがばね力によって前記カード挿入口から遠い位置から前記カード挿入口の方向に移動されるときに、前記ハウジング本体内に装着してあるカードが前記スライダと共に移動されてイジェクトされるカード用コネクタであって、
前記カード挿入口の方向に前記スライダが移動するにつれて制動力が増加するように前記スライダに制動力を付与するスライダ制動手段を有することを特徴とする。
【発明の効果】
【００１２】
スライダ制動手段がスライダに付与する制動力が一定の強さではなくてスライダが移動するにつれて増加するため、スライダが最終位置に到ったときのスライダの移動速度を十分に遅くすることが可能となる。これによって、スライダが最終位置に到って停止されたときにカードに作用する慣性力を、カードとスライダとの係止の拘束力を上回らないように抑えることが可能となり、カードがカード挿入口から外に無用に飛び出すことを防止出来る。
【発明を実施するための最良の形態】
【００１３】
次に発明を実施するための最良の形態について説明する。
【実施例１】
【００１４】
図１は本発明の実施例１になるマイクロＳＤカード（商標）用のコネクタ２０を、カバーを省略して、且つマイクロＳＤカード（商標、以下カードという）１０と対応させて示す斜視図である。図２はコネクタ２０を分解して示す斜視図である。各図中、Ｘ１−Ｘ２は幅方向、Ｙ１−Ｙ２は長手方向、Ｚ１−Ｚ２は厚さ（高さ）方向である。Ｙ１はカード１０を挿入して装着する方向であり、Ｙ２はカード１０がイジェクトされる方向である。また、カード１０についてみると、Ｙ１側は先端であり、Ｙ２側は後端である。
【００１５】
カード１０は、上面１１、下面１２、先端１３、後端１４を有し、内部にＩＣメモリを有し、先端１３の近くの下面にパッド（図示せず）が並んでおり、Ｘ１側の側面に、凸部１５と凹部１６とを有する形状である。
【００１６】
カード用コネクタ２０は、コネクタハウジング２１と、スライダ４０と、圧縮コイルバネ５０と、ハートカム機構６０とを有し、Ｙ２端にカード挿入口７０を有する。
【００１７】
コネクタハウジング２１は、複数のコンタクト２３が整列して固定定されている合成樹脂製のハウジング本体２２と、ハウジング本体２２の上面側を覆うカバー３０とよりなる。
【００１８】
カバー３０は、金属板製であり、ハウジング本体２２に固定してあり、ハウジング本体２２を覆っている。カバー３０には、装着されたカード１０の上面１１を押さえる一対の板ばね片３０ａ，３０ｂ、スライダ４０を押さえる板ばね片３０ｃ、後述するリンク部材５１を押さえる板ばね片３０ｄが形成してある。
【００１９】
スライダ４０は、合成樹脂製であって略Ｌ字形状のスライダ本体４２と、このスライダ本体４２に固定してある板バネ部材４１とよりなる。このスライダ本体４２は、Ｘ２方向に張り出ている張り出し部４３と、Ｙ２方向の端よりＸ２方向に突き出ている腕部４４と、Ｙ２方向の端寄りの上面に形成してあるハートカム溝４５とを有する。板バネ部材４１は、その先端側に、Ｘ２方向にＵ字形上に突き出ているバネ性の係止部４１ａを有する。張り出し部４３は凸部１５と対向するように、係止部４１ａは凹部１６に係止するように夫々形成してある。
【００２０】
このスライダ４０は、ハウジング本体２２の内側のうちＸ１側に、ハウジング本体２２の上面２５とカバー３０の下面との間の空間に、ガイド溝２６に沿ってＹ１，Ｙ２方向にスライド可能に、組み込まれている（図９（Ａ）参照）。スライダ４０のＹ２側の端面４０ａは、位置Ｐ２と位置Ｐ１との間で移動可能である。Ｙ２側の位置Ｐ２は、Ｙ２方向にスライドするスライダ４０の最終位置であり、端面４０ａが、ハウジング本体２２の立ち上げ面２８に突き当たる位置である。張り出し部４３は、位置Ｓ２と位置Ｓ１との間で移動する。
【００２１】
スライダ４０は、圧縮コイルバネ５０と、リンク部材５１と共に組み込まれている。圧縮コイルバネ５０は、溝２７に組み込んである。スライダ４０は圧縮コイルバネ５０によってＹ２方向に位置Ｐ２に移動されている。リンク部材５１のＹ２端はハウジング本体２２に係止してあり、リンク部材５１のＹ１端はハートカム溝４５に嵌合してある。ハートカム溝４５とリンク部材５１とによってハートカム機構６０が構成してある。
【００２２】
カード１０の装着は以下に記載するようにして行われる。カード１０の位置は、カード１０の後端１４の位置で示す。図３及び図４はカード１０の装着を説明するための図である。図４（Ａ），（Ｂ），（Ｃ）は夫々図３（Ａ），（Ｂ），（Ｃ）に対応する。
【００２３】
カード１０を装着する操作は、利用者がカード１０をカード挿入口７０内に挿入し、指先で後端１４を最終位置まで押し込む操作を行うことによってなされる。
【００２４】
カード１０はカード挿入口７０内に挿入されて、図３（Ａ）、図４（Ａ）に示すように、先端１３が腕部４４に当接し、凸部１５が張り出し部４３に当接した位置Ｑ１まで挿入されると、係止部４１ａと凹部１６とが係止される。
【００２５】
続いて、カード１０は指先で図３（Ｂ）、図４（Ｂ）に示す最終位置Ｑ３まで押し込まれる。スライダ４０はカード１０によって押されて圧縮コイルバネ５０を圧縮しつつＹ１方向に移動される。最後に指先をカード１０から離すと、スライダ４０は圧縮コイルバネ５０によってＹ２方向に移動され、ハートカム機構６０によってロックされる位置Ｐ１（Ｓ１）で停止し、カード１０は位置Ｑ２まで戻されて停止し、カード１０は装着された状態となる。図３（Ｃ）、図４（Ｃ）はカード１０が装着された状態を示す。パッドはコンタクト２３と接触している。
【００２６】
カード１０のイジェクトは、指先でカード１０を一旦押し込む操作を行ってなされる。図５及び図６はカード１０のイジェクトを説明するための図である。図６（Ａ），（Ｂ）は夫々図５（Ａ），（Ｂ）に対応する。
【００２７】
指先でカード１０を押し込むと、スライダ４０がカード１０と共にＹ２方向に移動され、図５（Ａ）、図６（Ａ）に示すようになる。ハートカム機構６０はロックが解除された状態となる。指先をＹ２方向に戻すと、スライダ４０が圧縮コイルバネ５０のばね力によってＹ１側の奥部の位置であるカード挿入口７０から遠い位置からカード挿入口７０の方向に移動され、カード１０は、スライダ４０の腕部４４、凸部１５によって押されて、スライダ４０と共にＹ２方向に移動される。スライダ４０は端面４０ａがハウジング本体２２の立ち上げ面２８に突き当たる位置Ｐ２（Ｓ２）まで移動し、カード１０は、前記の位置Ｑ１まで戻される。
【００２８】
その後に、利用者がカード１０の後端１４の側を指先で掴んで引くことによって、板バネ部材４１の係止部４１ａが強制的に撓まされて、係止部４１ａと凹部１６との弾性的係止を解除されて、引き抜かれる。
【００２９】
次に、例えばカード１０を押し付けた指を急に離すような特異である所謂いじわる操作を行った場合でも、イジェクト時にカード１０がカード用コネクタ２０から無用に飛び出さないようにする機構の構成及び動作について説明する。
[制動シュー部８０の構成及び作用]
先ず、スライダ制動手段としての制動シュー部８０について説明する。
【００３０】
制動シュー部８０は、合成樹脂製のハウジング本体２２にその上面２５に突き出して、スライダ４０のうちの張り出し部４３が移動する箇所のうちＹ２側の部分に形成してある。図７は図２中、制動シュー部８０を通るVII-VII線に沿う断面を拡大して示す図であり、図８は制動シュー部８０を拡大して示す斜視図である。
【００３１】
制動シュー部８０は、カード用コネクタ２０の奥側であるＹ１側がつなぎ部８１でもってハウジング本体２２とつながっており固定であり、つなぎ部８１よりＹ２方向に延在している片持ち梁の形状であり、Ｙ２端側がＺ２方向に弾性的に変位できる構造である。
【００３２】
また、制動シュー部８０の上方からみると、制動シュー部８０の上面８２は、制動シュー部８０のつなぎ部８１が頂点Ａであって、Ｙ２方向の端が底辺ＢであるＹ１−Ｙ２方向に長い三角形状であり、且つ、頂点Ａの箇所の高さがハウジング本体２２の上面２５と同じ高さであり、底辺Ｂ側がハウジング本体２２の上面２５よりＺ１方向に寸法Ｃだけ高いように傾斜した傾斜面である。この制動シュー部８０はハウジング本体２２の上面２５に形成してあるため、制動シュー部８０を形成するためにカード用コネクタ２０の幅寸法を少しも広げる必要はない。
【００３３】
この制動シュー部８０は、前記のカードイジェクト動作時に、スライダ４０の張り出し部４３に対して以下に説明するように動作する。
【００３４】
図９（Ａ）は、カードイジェクト動作が開始するときの状態であり、スライダ４０の張り出し部４３のＹ２端の位置Ｓ１は、制動シュー部８０のうちつなぎ部８１上に位置している。スライダ４０には制動力は作用していない。ハートカム機構６０のロックが解除されると、スライダ４０は、カード挿入口７０から遠い位置からばね５０のばね力によってＹ２方向に移動を開始する。スライダ４０のうちの張り出し部４３は、図９（Ｂ）に示すように、制動シュー部８０にのり上がって、制動シュー部８０をその底辺Ｂ側がＺ２方向に変位するように弾性的に撓ませて、図９（Ｃ））に示す最終位置Ｓ２まで移動する。最後は、スライダ４０は、その端面４０ａがハウジング本体２２の立ち上げ面２８に突き当たって瞬間に停止される。
【００３５】
弾性的に撓まされた制動シュー部８０に発生したＺ１方向の弾性復元力Ｆ１によって制動シュー部８０が張り出し部４３に押し当たって摩擦力が発生し、同時に、スライダ本体４２の上面がカバー３０の下面に押し当たって摩擦力が発生し、これがスライダ４０に制動力ＢＦ１、ＢＦ２を付与する（図６（Ｂ）参照）。
【００３６】
ここで、制動シュー部８０の上面８２がＹ１方向の端が頂点ＡでＹ２方向の端が底辺Ｂである三角形状であるため、スライダ４０がＹ２方向に移動するにつれて、張り出し部４３の下面と制動シュー部８０の上面８２とが接触している面積が急に増加し、張り出し部４３の制動シュー部８０に対する摩擦力は、スライダ４０がＹ２方向に移動するにつれて増加する。よって、スライダ４０に付与される制動力ＢＦ１、ＢＦ２は、図１０に線Ｉで示すように、スライダ４０がＹ２方向に移動するにつれて増加する。即ち、スライダ４０は、Ｙ２方向に移動するにつれて強い制動力ＢＦ１、ＢＦ２を作用される。
【００３７】
ここで、制動力の強さがスライダ４０の円滑な移動を可能する程度であって且つスライダ４０の移動した位置に関係なく一定であるように定めてある場合には、利用者がカード１０を押し付けた指を急に離すような特異な操作を行ったときには、スライダ４０は、圧縮コイルバネ５０によって押されて、移動するにつれて速度を増し、最後に瞬間に停止される直前のスライダ４０及びカード１０の移動速度は速くなる。このため、スライダ４０及びカード１０の移動が瞬間に停止されたときに、カード１０にはＹ２方向の大きい慣性力が作用し、この大きい慣性力によって、凹部１６が係止部４１ａから外れてしまうことが起こりうる。しかし、本実施例によれば、スライダ４０は、Ｙ２方向に移動するにつれて強い制動力ＢＦ１を作用されることによって、端面４０ａがハウジング本体２２の立ち上げ面２８に突き当たる直前のスライダ４０及びカード１０の移動速度は、制動力がスライダ４０の位置に関係なく一定である場合に比較して、遅くなっており、スライダ４０が立ち上げ面２８に突き当たって瞬間に停止されたときにカード１０に発生する慣性力は小さくなり、凹部１６は係止部４１ａから外れず、カード１０のカード用コネクタ２０のカード挿入口７０から外への飛び出しは起きない。
【００３８】
ここで、スライダ４０に最初から強い制動力が作用するようにした場合には、ハートカム機構６０のロックが解除されたときに、スライダ４０が円滑に移動を開始できない虞れがある。しかし、本実施例では、最初の状態では制動力が殆ど作用していないため、スライダ４０の移動は円滑に開始される。
【００３９】
なお、制動シュー部８０をリジッドに形成し、スライダ４０のうちの張り出し部４３にバネ部を形成し、このバネ部が弾性的に撓みつつリジッドの制動シュー部にのり上がるようにしてもよい。
[押し上げバネ部９０Ｒ、９０Ｌの構成及び作用]
次に、カード制動手段としての押し上げバネ部９０Ｒ、９０Ｌについて説明する。
【００４０】
図２に示すように、合成樹脂製のハウジング本体２２には、挿入口７０の近傍のＸ１側（右側）とＸ２側（左側）とに、装着されたカード１０を支えるカード支えバネ部９０Ｒ、９０Ｌが形成してある。
【００４１】
図１１は、図２中、カード支えバネ部９０Ｌを通るXI-XI線に沿う断面を拡大して示す図である。図１２及び図１３はカード支えバネ部９０Ｌを拡大して示す。カード支えバネ部９０Ｌは、Ｙ１−Ｙ２方向に長く、両端が固定である両端固定梁形状であり、ハウジング本体２２の上面２５よりＺ１方向に突き出ている。
【００４２】
カード支えバネ部９０Ｌは、Ｙ１側とＹ２側とに、凸部９１、９２を有し、中央にＺ２方向に凹んだ凹部９３を有し、逆Ｗ字形状である。凸部９１のＹ１側は傾斜面９４であり、凸部９１のＹ２側は傾斜面９５である。
【００４３】
凸部９１、９２とカバー３０の下面との間の隙間の寸法Ｄは、カード１０の厚さの公差の最も薄い寸法よりも少し短い寸法としてある。
【００４４】
カード支えバネ部９０Ｒも、カード支えバネ部９０Ｌと同じ形状を有する。
【００４５】
カード挿入口７０を通してカード１０が挿入されると、カード１０は、図１３（Ｂ）に示すように、カード支えバネ部９０Ｌ（９０Ｒ）の傾斜面９４に案内されて、凸部９１にのり上げ、凸部９１をＺ２方向に変位させ、凸部９１をのり越える。カード支えバネ部９０Ｌ（９０Ｒ）は特にＹ２側の部分が図１３（Ｂ）に示すように弾性的に撓まされる。
【００４６】
カード１０が更に挿入されると、図１３（Ｃ）に示すように、カード１０は凸部９２をのり越えて、カード支えバネ部９０Ｒ、９０Ｌは撓まされる。
【００４７】
カード１０が装着された状態では、カード１０は後端１４に近い部分の左右側をカード支えバネ部９０Ｒ、９０Ｌによって夫々力Ｆ２，Ｆ３でＺ１方向に押し上げられて、カバー３０の下面に押し付けられた状態にある。
【００４８】
カードイジェクト時、カード１０は、その下面１２とカード支えバネ部９０Ｒ、９０Ｌとの間で接触しつつ、及び、その上面１１とカバー３０とのとの間で接触しつつ、Ｙ２方向に移動される。この接触によって発生する摩擦が、Ｙ２方向に移動するカード１０に制動力ＢＦ３、ＢＦ４を付与する（図６（Ｂ）参照）。
【００４９】
この制動力ＢＦ３、ＢＦ４も、カード１０がカード用コネクタ２０からの無用に飛び出さないように働く。
【００５０】
なお、カード支えバネ部９０Ｒ、９０Ｌは、カード用コネクタのコンタクトとメモリカードのパッドとの接続が瞬間的に断たれる状態（これを瞬断という）が起きないようにするようにも機能する。携帯電話機は、利用者が持ち歩く、折り畳み操作を行う、データ読み取り装置に押し当てる等して、衝撃が与えられる場面、即ち、瞬断が起きやすい場面で使用されることが多い。瞬断が起きるとメモリカードと携帯電話機本体との間で送信されているデータの一部が失われてしまい、場合によっては重要な問題となるため、瞬断が起き難いようにすることが重要である。なお、瞬断発生のメカニズムとしては、カード用コネクタに衝撃が作用して、カードがカード用コネクタ内で振動した場合に、この影響で、コンタクトが共振を起こし、これが瞬断を発生させることが知られている。
【００５１】
本実施例では、カード１０が装着された状態では、図４（Ｃ）に示すように、カード１０は、先端１３の近くの下面のパッド（図示せず）の箇所を複数のコンタクト２３によってＺ１方向に押し上げられ、且つ、後端１４の近くの下面のＸ１側とＸ２側の箇所、即ち、パッド（図示せず）から離れた箇所を夫々カード支えバネ部９０Ｒ、９０ＬによってＺ１方向に押し上げられており、カード１０の上面１１の全体がカバー３０の下面に押し付けられた状態にある。即ち、カード１０は、先端１３の側については勿論、後端１４側についてもＺ２方向への自由な移動が制限された状態にある。また、カード支えバネ部９０Ｒ、９０Ｌは、カード用コネクタ２０に作用された衝撃を吸収する機能も有する。このため、カード用コネクタ２０に衝撃が作用した場合に、カード１０が、コンタクト２３に押し当たっているパッド（図示せず）の箇所を中心に、後端１４側がカード用コネクタ２０の内部でＺ１−Ｚ２方向に振れる動作、即ち、カード１０のカード用コネクタ２０内での振動が起きず、瞬断は起きない。
【００５２】
なお、カード１０を挿入して装着するときに、カード１０は最初に凸部９１をのり越え、その後に凸部９２をのり越える。よって、カード１０の挿入に対する負荷が分散し、カード１０の挿入は円滑になされる。
【００５３】
また、制動シュー部８０、押し上げバネ部９０Ｒ、９０Ｌは、ハウジング本体２２と一体に形成してあり、カード用コネクタ２０は特別な部品を使用しないで構成され、組み立ても容易である。
【図面の簡単な説明】
【００５４】
【図１】本発明の実施例１になるカード用コネクタを、カバーを省略して、且つカードを併せて示す斜視図である。
【図２】図１に示すカード用コネクタを分解して、カードと共に示す斜視図である。
【図３】カード装着動作を示す図である。
【図４】図３に対応する断面図である。
【図５】カードイジェクト動作を示す図である。
【図６】図５に対応する断面図である。
【図７】図２中、VII-VII線に沿う断面を拡大して示す図である。
【図８】制動シュー部を拡大して示す斜視図である。
【図９】制動シュー部によるスライダに対する制動動作を説明するための図である。
【図１０】制動シュー部によるスライダに対する制動力と、スライダの位置との関係を示す図である。
【図１１】図２中、XI-XI線に沿う断面を拡大して示す図である。
【図１２】カード支えバネ部を拡大して示す斜視図である。
【図１３】カード支えバネ部の作用を説明するための図である。
【符号の説明】
【００５５】
１０  カード
１６  凹部
２０  カード用コネクタ
２１  コネクタハウジング
２２  ハウジング本体
２５  上面
３０  カバー
４０  スライダ
４１  板バネ部材
４１ａ  係止部
４２  スライダ本体
４３  張り出し部
４４  腕部
４５  ハートカム溝
５０  圧縮コイルバネ
６０  ハートカム機構
８０  制動シュー部
８１  つなぎ部
８２  上面
９０Ｒ、９０Ｌ  押し上げバネ部
９１、９２  凸部
【図１】
2008181792.tif 000003
【図２】
2008181792.tif 000004
【図３】
2008181792.tif 000005
【図４】
2008181792.tif 000006
【図５】
2008181792.tif 000007
【図６】
2008181792.tif 000008
【図７】
2008181792.tif 000009
【図８】
2008181792.tif 000010
【図９】
2008181792.tif 000011
【図１０】
2008181792.tif 000012
【図１１】
2008181792.tif 000013
【図１２】
2008181792.tif 000014
【図１３】
2008181792.tif 000015